(57)【特許請求の範囲】
【請求項１】
遮蔽材（１２）を操作するために上部支持部材（１０）から垂下される操作コード（１４）を有するブラインドの操作装置であって、
前記操作コード（１４）の垂下部分にウエイト（１６）が取り付けられており、該ウエイト（１６）内の下部には錘材（２０）が収納されており、該ウエイト（１６）に一対の係止部が設けられて、該一対の係止部の間で掛け渡されて前記操作コードの一部が係止可能であり、操作コードの垂下部分はウエイト（１６）によって張力が作用された状態で且つウエイト（１６）の錘材（２０）が下部になった状態で操作コードの一部がウエイト（１６）に係止された状態を維持可能であることを特徴とするブラインドの操作装置。
【請求項２】
前記係止部は、ウエイト（１６）に対して着脱自在に取り付けられる補助具（２２）に形成されたフック（２２ｂ）であることを特徴とする請求項１記載のブラインドの操作装置。
【請求項３】
前記補助具（２２）がウエイト（１６）に取り付けられた状態で、ウエイト表面とフック（２２ｂ）との間にフック（２２ｂ）に係止される操作コード（１４）が収められる空間（２４）が形成されることを特徴とする請求項２記載のブラインドの操作装置。
【請求項４】
前記係止部は、ウエイト（１６）に対して一端が揺動自在に連結されたフック（３０）であり、フック（３０）は、ウエイト（１６）内に収納されている状態と、ウエイト（１６）から立ち上がった状態との間で移動することができ、フック（３０）が立ち上がった状態で操作コード（１４）の一部がフック（３０）に係止可能であることを特徴とする請求項１記載のブラインドの操作装置。
【請求項５】
前記係止部は、ウエイトの上下に形成される凹部（１６ｄ）であり、該凹部（１６ｄ）に操作コード（１４）が係止可能であることを特徴とする請求項１記載のブラインドの操作装置。
【発明の詳細な説明】
【技術分野】
【０００１】
本発明は、遮蔽材を操作するために上部支持部材から垂下される操作コードを有するブラインドの操作装置に関し、その操作コードの余分な垂れ下がりを抑えることができるブラインドの操作装置に関する。
【背景技術】
【０００２】
従来、この種のブラインドの操作装置としては、特許文献１に記載されたものが知られている。この特許文献１では、中空の回転操作棒の軸方向に所定間隔をあけて２箇所に昇降コードを巻き掛け可能なフックが設けられており、フックは、回転操作棒に取付可能な連結部と、連結部の側方に突出する「Ｔ」字状の突出部から構成され、突出部の「Ｔ」字の一方の片と連結部とによって昇降コードを挟み付け可能な挟持部が形成され、それぞれのフックは互いの挟持部が対向するように配置される。そして、回転操作棒の下端に設けられる中空のグリップから導出される昇降コードを２つのフックの間に渡って巻き掛けた後、昇降コードの端部を一方のフックの挟持部に巻き掛けることにより、昇降コードは挟持部に挟み付けられて保持されるので、フックから簡単に巻き解かれることなく、昇降コードの余分な垂れ下がりが抑えられるようになっている。
【０００３】
【特許文献１】実用新案登録第３００１４０６号公報
【発明の開示】
【発明が解決しようとする課題】
【０００４】
しかしながら、上記特許文献１の構成では、ヘッドボックスから垂下されて上下動しない回転操作棒にフックが取り付けられているために、使用するユーザによって手の届く高さが異なるにもかかわらず、コードが巻き掛けられる位置が一定となるため、操作が行いにくい、という問題がある。
【０００５】
フックの回転操作棒への取付位置を操作する毎に調整することも可能であるが、そのような調整は煩わしいという問題もある。
【０００６】
本発明はかかる課題に鑑みなされたもので、その目的は、簡単な操作で操作コードの余分な垂れ下がりを抑えることができるブラインドの操作装置を提供することである。
【課題を解決するための手段】
【０００７】
前述した目的を達成するために、請求項１記載の発明は、遮蔽材を操作するために上部支持部材から垂下される操作コードを有するブラインドの操作装置であって、前記操作コードの垂下部分にウエイトが取り付けられており、該ウエイト内の下部には錘材が収納されており、該ウエイトに一対の係止部が設けられて、該一対の係止部の間で掛け渡されて前記操作コードの一部が係止可能であり、操作コードの垂下部分はウエイトによって張力が作用された状態で且つウエイトの錘材が下部になった状態で操作コードの一部がウエイトに係止された状態を維持可能であることを特徴とする。
【０００８】
請求項２記載の発明は、請求項１記載の係止部が、ウエイトに対して着脱自在に取り付けられる補助具に形成されたフックであることを特徴とする。
【０００９】
請求項３記載の発明は、請求項２記載の補助具がウエイトに取り付けられた状態で、ウエイト表面とフックとの間にフックに係止される操作コードが収められる空間が形成されることを特徴とする。
【００１０】
請求項４記載の発明は、請求項１記載の係止部が、ウエイトに対して一端が揺動自在に連結されたフックであり、フックは、ウエイト内に収納されている状態と、ウエイトから立ち上がった状態との間で移動することができ、フックが立ち上がった状態で操作コードの一部がフックに係止可能であることを特徴とする。
【００１１】
請求項５記載の発明は、請求項１記載の係止部が、ウエイトの上下に形成される凹部であり、該凹部に操作コードが係止可能であることを特徴とする。
【発明の効果】
【００１３】
請求項１記載の発明によれば、ウエイトに設けられた係止部に操作コードの一部を係止することによって、操作コードの余分な垂れ下がりを短くすることができる。係止部がウエイトに設けられており、ウエイトは通常その自重によって下方に位置づけられているために、ユーザの手の届く範囲にあり、よって、その係止作業は簡単に行なうことができる。操作コードにはウエイトによる張力が作用しているため、係止部に係止された操作コードは緩むことなく係止状態を確実に保持することができる。
【００１４】
請求項２記載の発明によれば、補助具がウエイトに着脱可能となっているために、使用環境によって操作コードの垂れ下がりを抑える必要がない場合には補助具をウエイトから取り外して、簡素化することができる。操作コードの垂れ下がりを抑える場合には補助具のフックに操作コードを係止させることができる。
【００１５】
請求項３記載の発明によれば、フックとウエイト表面との間に形成される空間に操作コードが収められることで、フックの突出高さを低く抑えることができて、ウエイトに取り付けられた補助具が嵩張らないように構成することができる。
【００１６】
請求項４記載の発明によれば、操作コードを係止する必要がないときには、フックを揺動させて収納することができるので、ウエイトの意匠性を良好に保持することができる。
【００１７】
請求項５記載の発明によれば、ウエイトに形成された凹部が係止部となるために、部品点数の増加を防ぐことができる。
【発明を実施するための最良の形態】
【００１９】
以下、図面を用いて本発明の実施の形態を説明する。
図１は、本発明のブランドの操作装置が適用可能なブラインドの一例であり、窓枠等の固定部に固定される上部支持部材１０と、上部支持部材に動作可能に支持される遮蔽材１２とを備えている。図示した例ではブラインドは縦型ブラインドとなっているが、これに限るものではなく、横型ブラインド、ロールスクリーン、プリーツスクリーン、ローマンシェードといった任意のブラインドに適用可能である。
【００２０】
そして、この遮蔽材１２の動作を操作するために上部支持部材１０からはループ状の操作コード１４が垂下されている。動作としては遮蔽材の左右移動、上下移動、回転といったものとすることができる。この操作コードは、直接遮蔽材に連結されるものであってもよいし、または遮蔽材を動作させるための機構部に連結されるものであってもよい。さらに、ループ状の操作コードは、図示したように１本のコードが折り返されることによりループ状を形成するものであってもよいし、または複数のコードが以下で述べるウエイト１６によって纏められることによってループ状を構成するものであってもよい。
【００２１】
図２ないし図４は、本発明の第１実施形態によるブラインドの操作装置の要部を表す図である。ループ状の操作コード１４の垂下部分の下端にはウエイト１６が取り付けられている。ウエイト１６は、その上部にプーリー１８が軸支され、その下部に錘材２０が収納されている。この例では、操作コード１４は１本のコードによって構成されており、該操作コード１４は、ウエイト１６内でプーリー１８に誘導されて折り返されている。よって、ウエイト１６はこのプーリー１８と錘材２０の重力との作用によって常にループ状の操作コードの最下点に位置づけられることになると共に、操作コード１４にはウエイト１６によって常時張力が作用するようになる。
【００２２】
ウエイト１６には、さらに、ウエイト１６に対して着脱可能にコード垂れ下がり防止補助具２２が取り付けられる。補助具２２は、ウエイト１６の側面に対して摩擦力または係止力によって保持されるベース２２ａと、ベース２２ａから側方に突出して形成された一対の係止部としてのフック２２ｂと、ベース２２ａの下方から延びてウエイト１６の下縁に当接する延長下押え部２２ｃとを有している。
【００２３】
一対のフック２２ｂはベース２２ａの上部及び下部から伸びて、上下対称に配置されており、上方のフック２２ｂは上側に、下方のフック２２ｂは下側にそれぞれフック片２２ｄを備えている。よってフック片２２ｄはベース２２ａよりも上方及び下方に位置づけられ、補助具２２がウエイト１６に取り付けられたときに、フック片２２ｄは、ウエイト１６の側面即ち表面とほぼ平行に且つ対向して、フック片２２ｄとウエイト１６表面との間に空間２４が形成されるようになっている。
【００２４】
また、一対のフック２２ｂのうちの上方のフック２２ｂは下側に、下方のフック２２ｂは上側にそれぞれ挟持片２２ｅ、２２ｅを備えている。挟持片２２ｅ、２２ｅの先端の内側には挟持突起２２ｆが形成されている。
【００２５】
以上のように構成されるブラインドの操作装置において、操作コード１４の不使用時の余分な垂れ下がりを抑えるには、図５に示すように、ウエイト１６で折り返される操作コード１４の他の部分を一対のフック２２ｂのフック片２２ｄ、２２ｄの間で掛け渡して、操作コード１４が適当な垂れ下がり長さとなるまで複数周フック片２２ｄ、２２ｄの間に巻き掛ける。このとき、操作コード１４はフック片２２ｄとウエイト１６表面との間に形成された空間２４に収まることになる。そして、最後に、操作コード１４をいずれか一方のフック２２ｂの挟持片２２ｅに掛け回すと、操作コード１４は、一つのフック２２ｂへの巻付力並びに挟持片２２ｅ及び挟持突起２２ｆによる挟持力によって、さらに、操作コード１４に作用する張力により操作コード１４の弛みが防止されることによって、フック２２ｂからの巻き解きが防止されて、ウエイト１６に係止された状態を維持する（図６（ｂ）参照）。
【００２６】
こうして、操作コード１４の余分な垂れ下がりを防止することができ、操作コード１４が垂れ下がることによる欠点を解消することができる。操作コード１４の最下点にあるウエイト１６に設けられたフック２２ｂに操作コード１４を巻き掛けるだけでよいので、ユーザの手の高さがどのようなものであっても、簡単に操作することができる。また、ウエイト１６自体を回転させていくことで、操作コード１４を掛け渡していくことができ、操作性を向上させることができる。
【００２７】
巻き掛けられた操作コード１４が収まる空間２４は、図５（ａ）に示したように、フック片２２ｄとウエイト１６表面との間に形成されている。この空間２４は、フック片２２ｄとベース２２ａとの間に空間を形成するのと比較してフック２２ｂの突出高さを低く抑えることができて、嵩張らないように構成することができる。
【００２８】
この実施形態では、ウエイト１６と別体となりウエイト１６に着脱可能に取り付けられる補助具２２にフック２２ｂが形成されていたので、使用環境によって操作コードの垂れ下がりを抑える必要がない場合には補助具２２をウエイト１６から取り外して、簡素化することができる。
【００２９】
コード垂れ下がり防止補助具２２は、既存のブラインドのウエイトに取り付け可能にすることによって、後付によっても本発明のブラインドの操作装置を構成して操作コードの垂れ下がり抑制機能を持たせることができるようになる。
【００３０】
図７及び図８は、本発明の第２実施形態によるブラインドの操作装置の要部を表す図である。この実施形態では、ウエイト１６に係止部としての一対のフック３０の一端が揺動自在に連結されている。フック３０はウエイト１６の側面に形成された開口１６ｂを出入り可能となっており、ウエイト１６内に収納されている状態と、ウエイト１６の側面から突出して立ち上がった状態との間で移動することができる。各フック３０は、フック２２ｂと同様に、フック片３０ａと、必要に応じて挟持片３０ｂとを備えることができる。
【００３１】
操作コード１４の余分な垂れ下がりを抑える時には、図８に示すように、フック３０を開口１６ｂから突出させてウエイト１６から立ち上がった状態とする。そして、操作コード１４をフック片３０ａ、３０ａの間に掛け渡して、操作コード１４が適当な垂れ下がり長さとなるまで複数周フック片３０ａ、３０ａの間に巻き掛けて、係止した状態を保持する。巻き掛けられた操作コード１４はフック片３０ａとウエイト１６表面との間に形成された空間２４に収まることになる。
【００３２】
この実施形態においても、第１実施形態と同様の作用・効果が得られる。また、操作コード１４を係止する必要がないときには、フック３０を揺動させて収納することができるので、ウエイト１６の意匠性を良好に保持することができる。
【００３３】
図９は、本発明の第３実施形態によるブラインドの操作装置の要部を表す図である。この実施形態では、ウエイト１６の上部と下部に係止部としての凹部１６ｄ、１６ｄが形成されている。さらに、凹部１６ｄの底面には、幅狭の挟持部１６ｅが形成されている。
【００３４】
この実施形態においては、操作コード１４を凹部１６ｄ、１６ｄの間に掛け渡して、操作コード１４が適当な垂れ下がり長さとなるまで複数周凹部１６ｄ、１６ｄの間に巻き掛ける。巻き掛けられた操作コード１４は凹部１６ｄ内に収まることになる。そして、最後に、操作コード１４をいずれか一方の凹部１６ｄの挟持部１６ｅに掛け回すと、操作コード１４は、挟持部１６ｅによる挟持力によって、さらに、操作コード１４に作用する張力により操作コード１４の弛みが防止されることによって、ウエイト１６の凹部１６ｄからの巻き解きが防止されて、ウエイト１６に係止された状態を維持する。
【００３５】
この実施形態においても、第１実施形態と同様の作用・効果が得られる。部品点数が少ないので、安価に構成することができ、また、ウエイト１６から部材を突出させる必要がないので、コンパクトに構成することができる。
【図面の簡単な説明】
【００３６】
【図１】本発明のブランドの操作装置が適用可能なブラインドの一例を表す斜視図である。
【図２】本発明の第１実施形態によるブラインドの操作装置の要部を表す斜視図である。
【図３】コード垂れ下がり防止補助具をウエイトに取り付ける前の状態を表す（ａ）正面図と、（ｂ）側面図である。
【図４】コード垂れ下がり防止補助具をウエイトに取り付けた状態を表す（ａ）正面図と、（ｂ）側面図である。
【図５】操作コードをフックに係止して操作コードの余分な垂れ下がりを抑える状態を表す要部の（ａ）正面図と、（ｂ）側面図である。
【図６】ブランドの操作装置が適用されたブラインドの側面図であり、（ａ）は操作コード使用時の状態、（ｂ）は操作コード不使用時の余分な垂れ下がりを抑えた状態を表す。
【図７】本発明の第２実施形態によるブラインドの操作装置の要部を表す（ａ）正面図と、（ｂ）側面図であり、フックが収納された状態を表す。
【図８】本発明の第２実施形態によるブラインドの操作装置の要部を表す（ａ）正面図と、（ｂ）側面図であり、フックが立ち上がった状態を表す。
【図９】本発明の第３実施形態によるブラインドの操作装置の要部を表す（ａ）正面図と、（ｂ）側面図である。
【符号の説明】
【００３７】
１０  上部支持部材
１２  遮蔽材
１４  操作コード
１６  ウエイト
１６ｄ  凹部
２２  コード垂れ下がり防止補助具
２２ｂ  フック
２４  空間
３０  フック
【図１】
0005214112.tif 000002
【図２】
0005214112.tif 000003
【図３】
0005214112.tif 000004
【図４】
0005214112.tif 000005
【図５】
0005214112.tif 000006
【図６】
0005214112.tif 000007
【図７】
0005214112.tif 000008
【図８】
0005214112.tif 000009
【図９】
0005214112.tif 000010